(57)【要約】【課題】  液晶パネルでのモアレの発生や光洩れを回避して画像の品質低下を防止する。光学シート類の２次利用を可能にする。【解決手段】  液晶セル１２の表裏両面に偏光板１３，１４を重なり状に配備してなる液晶パネル１と、液晶パネル１の裏面側に配備された光学シート類３と、光学シール類３を挟んで液晶パネル１の反対側に配備されたバックライト手段５とを、囲構体９に収容する。液晶セル１２と光学シート類３との間にスペーサ２１，２２を介在させることにより、液晶パネル１と光学シート類３との間に隙間空間Ｓを形成する。スペーサ３に光洩れを遮蔽する機能を付与する。スペーサ２１，２２に片面粘着テープを用い、その片面粘着テープの粘着面を液晶セル１２に貼着しておく。【選択図】        図１
2007121339.tif 000002
【特許請求の範囲】
【請求項１】
液晶セルの表裏両面に偏光板が重なり状に配備されてなる液晶パネルと、この液晶パネルの裏面側に配備された光学シート類と、この光学シール類を挟んで上記液晶パネルの反対側に配備されたバックライト手段とが、枠形フレームと縁枠部材とによって形作られた囲構体に収容されている液晶モジュールにおいて、
上記液晶セルに上記偏光板の端縁の外側へ突き出した突片部が備わり、その突片部に制御信号用電路に接続される電極が配備されていると共に、上記液晶セルと上記光学シート類との間に、その液晶セルの裏面側に配備されている上記偏光板の厚さよりも厚肉で上記液晶セルに貼着されたシート状のスペーサを介在させることによって、上記液晶パネルの裏面側有効領域の全体と上記光学シート類との間に隙間空間を形成し、かつ、そのスペーサを上記囲構体に接触させることによって上記囲構体の開口からの光洩れを遮蔽してあることを特徴とする液晶モジュール。
【請求項２】
液晶セルの表裏両面に偏光板が重なり状に配備されてなる液晶パネルと、この液晶パネルの裏面側に配備された光学シート類と、この光学シール類を挟んで上記液晶パネルの反対側に配備されたバックライト手段とが、枠形フレームと縁枠部材とによって形作られた囲構体に収容されている液晶モジュールにおいて、
上記液晶パネルの裏面側有効領域の全体と上記光学シート類との間に隙間空間を形成したことを特徴とする液晶モジュール。
【請求項３】
上記液晶セルに上記偏光板の端縁の外側へ突き出した突片部が備わり、その突片部に制御信号用電路に接続される電極が配備されている請求項２に記載した液晶モジュール。
【請求項４】
上記液晶セルと上記光学シート類との間に、その液晶セルの裏面側に配備されている上記偏光板の厚さよりも厚肉のスペーサを介在させることによって上記隙間空間が形成されている請求項２に記載した液晶モジュール。
【請求項５】
上記スペーサが上記液晶セルに貼着されている請求項３に記載した液晶モジュール。
【請求項６】
上記スペーサに、上記囲構体の開口から光洩れを遮蔽する機能を付与してある請求項４又は請求項５に記載した液晶モジュール。
【発明の詳細な説明】
【技術分野】
【０００１】
本発明は、液晶モジュール、特に、液晶パネルの偏光板とその液晶パネルの裏面（背面）側に配備された光学シート類とが張り付くことにより発生するモアレ（干渉縞）を回避する対策を講じた液晶モジュールに関する。
【背景技術】
【０００２】
液晶セルの表裏両面に偏光板を重なり状に配備することによって形成された液晶パネル自体は公知である（たとえば、特許文献１、特許文献２、特許文献３、特許文献４参照）。このうち、特許文献１には、液晶パネルに備わっている偏光板と当該パネルの光学的機能面との間に可干渉距離以上の空間を設けることによって干渉縞の発生することを抑制することが記載され、同文献２にも干渉縞の発生を防止する対策についての開示がある。また、同文献３では、上記液晶パネルに相応する液晶表示装置の偏光板の再利用を可能にする技術が提案され、同文献４では上記液晶パネルに相応する光学素子に粘着部を具備させることによって画像表示装置の組立性を改善することが提案されている。
【特許文献１】特開平８−２５４６４２号公報
【特許文献２】特開昭６１−１６０７２５号公報
【特許文献３】特開平５−２２４１９８号公報
【特許文献４】特開平８−２５４６４１号公報
【発明の開示】
【発明が解決しようとする課題】
【０００３】
一方、液晶パネルを用いて組み立てられる液晶モジュールは、上記の液晶パネルの裏面側に、プリズムシートや導光パネル（ライドガイドパネル）などの光学シート類、バックライト手段などを配備することによって構成されている。この種の液晶モジュールにおいて、光学シート類が、液晶パネルの裏面側有効領域（液晶パネルでの画像表示領域）に張り付いて接触していると、画素が相互に干渉して発生する縞状のパターンであるモアレが生じ、液晶パネルによって表示される画像の品質が低下することが判っている。そのため、特許文献１や特許文献２に記載されているように、液晶パネルの偏光板と当該パネルの光学的機能面との間に可干渉距離以上の空間を設けることによってモアレの発生を防いだとしても、その液晶パネルを用いて組み立てられた液晶モジュールにおいてモアレの発生が回避されるとは限らない。
【０００４】
本発明は以上の状況に鑑みてなされたものであり、液晶パネルの裏面側有効領域とその液晶パネルの裏面側に配備される光学シート類とが張り付くことを回避することを通じて液晶モジュールでのモアレの発生を防ぎ、液晶パネルに表示される画像の品質低下を防止した液晶モジュールを提供することを目的とする。
【０００５】
また、本発明は、スペーサを用いて液晶パネルの有効領域とその裏面側に配備される光学シート類とが張り付くことを回避する場合に、そのスペーサに光洩れ防止作用を発揮させることのできる液晶モジュールを提供することを目的とする。
【０００６】
さらに、本発明は、上記スペーサに粘着テープを用いた場合に、光学シート類への粘着剤（糊）の残留を無くしてその光学シート類を２次利用（再利用）することができるような対策を講じた液晶モジュールを提供することを目的とする。
【課題を解決するための手段】
【０００７】
本発明に係る液晶モジュールでは、液晶セルの表裏両面に偏光板が重なり状に配備されてなる液晶パネルと、この液晶パネルの裏面側に配備された光学シート類と、この光学シール類を挟んで上記液晶パネルの反対側に配備されたバックライト手段とが、枠形フレームと縁枠部材とによって形作られた囲構体に収容されている液晶モジュールにおいて、上記液晶パネルの裏面側有効領域の全体と上記光学シート類との間に隙間空間を形成してある。これによれば、液晶パネルの裏面側有効領域の全体と光学シート類とが隙間空間によって隔てられるために、それら両者が張り付いて接触することによるモアレの発生が回避され、液晶モジュールによって表示される画像品質の低下が防止される。
【０００８】
本発明では、上記液晶セルに上記偏光板の端縁の外側へ突き出した突片部が備わり、その突片部に制御信号用電路に接続される電極が配備されているものであってもよい。
【０００９】
また、本発明では、上記液晶セルと上記光学シート類との間に、その液晶セルの裏面側に配備されている上記偏光板の厚さよりも厚肉のスペーサを介在させることによって上記隙間空間が形成されているという構成を採用することが可能であり、これよれば、スペーサを液晶セルと上記光学シート類との間に介在させるだけの簡単な構成を採用するだけで、液晶パネルの裏面側有効領域の全体と光学シート類とが張り付くことによるモアレの発生が回避される。
【００１０】
本発明では、上記スペーサが上記液晶セルに貼着されていることが望ましい。これによれば、スペーサを光学シート類に貼着する必要がないので、スペーサ側の粘着剤（糊）が光学シート類に付着しなくなる。そのため、光学シート類を２次利用することが可能になる。この点に関し、スペーサを光学シート類に貼着する構成を採用すると、リペアに際して光学シート類の貼着跡に粘着剤（糊）が残留してその光学シート類の再利用が困難になる。
【００１１】
本発明では、上記スペーサに、上記囲構体の開口から光洩れを遮蔽する機能を付与してあることが望ましい。これによれば、囲構体からの光洩れに起因する画像品質の低下が抑制される。
【００１２】
本発明に係る液晶モジュールは、液晶セルの表裏両面に偏光板が重なり状に配備されてなる液晶パネルと、この液晶パネルの裏面側に配備された光学シート類と、この光学シール類を挟んで上記液晶パネルの反対側に配備されたバックライト手段とが、枠形フレームと縁枠部材とによって形作られた囲構体に収容されている液晶モジュールにおいて、上記液晶セルに上記偏光板の端縁の外側へ突き出した突片部が備わり、その突片部に制御信号用電路に接続される電極が配備されていると共に、上記液晶セルと上記光学シート類との間に、その液晶セルの裏面側に配備されている上記偏光板の厚さよりも厚肉で上記液晶セルに貼着されたシート状のスペーサを介在させることによって、上記液晶パネルの裏面側有効領域の全体と上記光学シート類との間に隙間空間を形成し、かつ、そのスペーサを上記囲構体に接触させることによって上記囲構体の開口からの光洩れを遮蔽してある、という構成を採用することが可能である。この発明の作用については、後述する実施形態を参照して詳細に説明する。
【発明の効果】
【００１３】
以上のように、本発明によれば、液晶パネルの裏面側有効領域とその裏面側に配備される光学シート類とが張り付いて起こるモアレの発生が回避されるので、液晶パネルに表示される画像の品質低下が防止される。特に、液晶パネルの裏面側有効領域とその裏面側に配備される光学シート類との張り付きを回避しているスペーサに光洩れ防止作用を付与したり、スペーサを液晶セルに貼着したりしたものでは、囲構体からの光洩れによる画像品質の低下が抑制されるだけでなく、高価な光学シート類の２次利用が可能になるという卓越した効果が奏される。したがって、ユーザにとっては、安価の液晶モジュールでありながら、品質のよい画像を楽しむことができるようになる。
【発明を実施するための最良の形態】
【００１４】
図１は本発明の実施形態に係る液晶モジュールの概略分解斜視図、図２は同液晶モジュールの構成を説明的に示した概略垂直断面図、図３は枠形フレーム７の要部を拡大して示した斜視図、図４は枠形フレーム７の要部を拡大して示した平面図、図５は枠形フレーム７に対するスペーサ２１の配備位置を図４のＶ−Ｖ線に沿う部分から見て示した要部拡大垂直断面図である。
【００１５】
図１のように、この液晶モジュールは、液晶パネル１と、この液晶パネル１の裏面側に配備された光学シート類３と、バックライト手段５とを備えていて、これらが枠形フレーム７とベゼルと称されている縁枠部材８とによって形作られる囲構体９（図２参照）に収容される。すなわち、図２のように、囲構体９には、液晶パネル１と、その液晶パネル１の裏面側に配備された光学シート類３と、この光学シール類３を挟んで液晶パネル１の反対側に配備されたバックライト手段５とが積層状に収容されている。
【００１６】
図例の液晶モジュールにおいて、バックライト手段５は、図１又は図２に示したように、導光パネル５１及びその導光パネル５１の裏面側に配備された光反射シート５２を有しているほか、複数個の発光素子５５を搭載したフレキシブル基板（ＦＰＣ）５６を備えていて、そのＦＰＣ５６が導光パネル５１の端縁部にクッション材５３と光反射テープ５４とを介して取り付けられている。そして、図２のように、光反射シート５２が枠形フレーム７の下端に貼着などによって接合されている。また、導光パネル５１の１辺に備わっている突片部５６を、枠形フレーム７に具備された受枠部７１の凹所７２（図１又は図３参照）に嵌め込み、かつ、導光パネル５１の他の片に備わっている突起５７を枠形フレーム７に備わっている係合孔７３（図１参照）に係合させることによって、その導光パネル５１を枠形フレーム７の内部で水平に保持させている。
【００１７】
図１のように、光学シート類３は、光拡散シート３１と２枚のプリズムシート３２，３３とでなり、これらは図５のように導光パネル５１の上にこの順に重ね合わされている。そして、図５で判るように、この光学シート類３の上面３ａ、すなわち上側のプリズムシート３３の上面が、上記した枠形フレーム７の受枠部７１の上端面７４と面一になっている。
【００１８】
図２のように、液晶パネル１は、液晶セル１２の表裏両面に偏光板１３，１４を重なり状に配備してなり、偏光板１３，１４による液晶セル１２の被覆領域が液晶パネル１の有効領域として規定されていて、その有効領域で画像が表示されるようになっている。そして、この液晶パネル１では、液晶セル１２に偏光板１３，１４の端縁の外側へ突き出した突片部１５が備わっていて、その突片部１５に設けられた電極（不図示）に、フレキシブル配線基板１６によって形成されている制御信号用電路が接続されている。
【００１９】
図１において、２１，２２はスペーサを示し、これらのスペーサ２１，２２は、液晶パネル１に備わっている液晶セル１２の相対向する２つの辺部の裏面側に配備される。具体的には、これらのスペーサ２１，２２が、液晶セル１２の裏面側に配備されている偏光板１４（図２又は図５参照）の厚さよりも厚肉の片面粘着テープによって形成されていて、その片面粘着テープの粘着面が液晶セル１２に貼着されている。そして、枠形フレーム７の受枠部７１の上端面７４に載架した上記スペーサ２１，２２によってその液晶パネル１を枠形フレーム７内に収容させてある。この構成を採用して液晶パネル１を枠形フレーム７内に収容させておくと、スペーサ２１，２２が液晶セル１２の裏面側の偏光板１４の厚さよりも厚肉であることから、図２又は図５のように、液晶パネル１の裏面側有効領域の全体と光学シート類３との間に一定の隙間空間Ｓが確保され、その結果、液晶パネル１の裏面側有効領域と光学シート類３とが接触したり張り付いたりするという事態が起こり得ない。また、スペーサ２１，２２に片面粘着テープを用いてその片面粘着テープを液晶セル１２に貼着しておくという構成を採用したことにより、枠形フレーム７に対する液晶パネル１の組付け作業性が向上して液晶モジュールの量産性が高まった。
【００２０】
以上のように構成された液晶モジュールによると、発光素子５５の光が導光パネル５１に導かれ、かつ、光反射シート５２により反射して面状発光する。そして、その光が、光拡散シート３１を通過することにより拡散され、さらにプリズムシート３２，３３を通過することにより指向性が付与されて液晶パネル１を照明する。また、液晶パネル１の裏面側有効領域と光学シート類３との間には隙間空間Ｓが形成されているために、それら両者が張り付くことによって発生するモアレは生じる余地がない。そのため、液晶パネル１の有効領域にはモアレの存在しない画像が表示されることになり、ユーザにとっては品質の良い画像を楽しむことができるようになるという利点がある。
【００２１】
また、この実施形態では、スペーサ２１，２２を図２又は図５のように枠形フレーム７の内面に密着させることにより、それらのスペーサ２１，２２の配備箇所から囲構体９の外部への光洩れを防いである。そのため、スペーサ２１，２２に囲構体９からの光洩れを遮蔽する機能が付与されている。このようにスペーサ２１，２２に囲構体９からの光洩れを遮蔽する機能を付与しておくと、液晶パネル１の有効領域での輝度が向上して画像品質が向上するという利点がある。
【００２２】
この実施形態では、光学シート類３を光拡散シート３１と２枚のプリズムシート３２，３３とによって形成してあるけれども、この光学シート類を形成する光学シートの種類は、液晶モジュールの用途などを勘案して適宜選定されるべきものである。
【００２３】
さらに、この実施形態では、スペーサ２１，２２に片面粘着テープを用い、その片面粘着テープの粘着面を液晶セル１に貼着してあるだけであって、光学シート類３にはその片面粘着テープが貼着されていない。そのため、光学シート類３を２次利用することが可能になるという利点もある。
【図面の簡単な説明】
【００２４】
【図１】本発明の実施形態に係る液晶モジュールの概略分解斜視図である。
【図２】同液晶モジュールの構成を説明的に示した概略垂直断面図である。
【図３】枠形フレームの要部を拡大して示した斜視図である。
【図４】枠形フレームの要部を拡大して示した平面図である。
【図５】枠形フレームに対するスペーサの配備位置を図４のＶ−Ｖ線に沿う部分から見て示した要部拡大垂直断面図である。
【符号の説明】
【００２５】
１  液晶パネル
３  光学シート類
５  バックライト手段
７  枠形フレーム
８  縁枠部材
９  囲構体
１２  液晶セル
１３，１４  偏光板
１５  突片部
２１，２２  スペーサ
Ｓ  隙間空間
【図１】
2007121339.tif 000003
【図２】
2007121339.tif 000004
【図３】
2007121339.tif 000005
【図４】
2007121339.tif 000006
【図５】
2007121339.tif 000007